(57)【要約】【課題】テレビ放送信号を処理して端末側に伝送する伝送機器に電源供給を行う主電源装置の補助電源として、太陽光発電パネルを利用する場合に、太陽光発電パネルの設置場所を速やかに確保して、太陽光発電パネルを簡単に設置できるようにする。【解決手段】電源装置２に、ブースタ６のケース８を上方から覆い、内部にブースタ６を収納するケースカバー１０を設け、ケースカバー１０の上部に、太陽光発電パネル１２を設ける。また、ケースカバー１０には、端末側の伝送線を接続するための出力端子２２、及びブースタ６の受信信号出力端子を接続するための入力端子２４を設け、ケースカバー１０内には、これら各端子２２、２４間で受信信号を通過させ、端末側から供給された電源電圧と太陽光発電パネル１２で生成された直流電圧とを合成して、入力端子２４からブースタ６に出力させる電源供給部２０を収納する。【選択図】図１
2010239831.tif 000002
【特許請求の範囲】
【請求項１】
ケースに固定された設置用金具を介して屋外に設置され、伝送線を介して端末側の主電源装置から電源供給を受けて動作し、テレビ放送信号を処理して、前記端末側の伝送線に送出する伝送機器に設けられ、太陽光発電パネルによる発電電力を、前記主電源装置からの供給電力に対する補助電源として、前記伝送機器に供給する伝送機器の電源装置であって、
前記伝送機器のケースを、前記設置金具を避けて上方から収納可能に形成されたケースカバーと、
当該ケースカバーを介して前記伝送機器のケース上部に設置され、太陽光を受けて発電する太陽光発電パネルと、
前記端末側の伝送線を接続するための第１端子、及び、前記伝送機器に設けられた端末側伝送線接続用端子に伝送線を介して接続するための第２端子を備え、これら各端子間で伝送信号を通過させると共に、前記端末側の伝送線を介して供給される電源電圧と前記太陽光発電パネルを介して供給される電源電圧とを合成して前記第２端子から出力させる電源供給部と、
を備え、前記電源供給部を前記ケースカバー内に収納したことを特徴とする伝送機器の電源装置。
【請求項２】
前記電源供給部に、前記第２端子から出力する電源電圧を安定化させる電源回路を設けたことを特徴とする請求項１に記載の伝送機器の電源装置。
【発明の詳細な説明】
【技術分野】
【０００１】
本発明は、屋外に設置され、伝送線を介して端末側の主電源装置から電源供給を受けて動作する伝送機器に対し、太陽光発電パネルによる発電電力を補助電源として供給する、伝送機器の電源装置に関する。
【背景技術】
【０００２】
従来、テレビ放送信号を処理して端末側に伝送する伝送機器としては、例えば、受信アンテナにて受信されたテレビ放送信号を増幅し、伝送線（同軸ケーブル等）を介して端末側に伝送する増幅装置（所謂ブースタ）が知られている。
【０００３】
そして、この種の伝送機器には、通常、商用電源から電源供給を受けて伝送機器を動作させるための電源電圧を生成し、その生成した電源電圧を、伝送線を介して端末側から供給する電源装置が設けられている。
【０００４】
また、ブースタ等の伝送機器は、通常、屋外に設置されることから、伝送機器内若しくは伝送線上に太陽光発電パネル（所謂太陽電池）を設置し、この太陽光発電パネルと端末側の電源装置とを利用して伝送機器に電源供給を行うことも提案されている（例えば、特許文献１等、参照）。
【先行技術文献】
【特許文献】
【０００５】
【特許文献１】特開昭５８−１７２０２４号公報
【発明の概要】
【発明が解決しようとする課題】
【０００６】
しかしながら、上記提案の電源装置では、太陽光発電パネルを、伝送機器が設置された電柱やアンテナの支柱に取り付け、伝送機器に電源供給を行うように構成されていた。
このため、例えば、既存の伝送機器に太陽光発電パネルを設ける場合等、伝送機器が設置された電柱や支柱に太陽光発電パネルを設置するスペースがない場合には、支柱を追加／交換する等して、太陽光発電パネルの設置場所を確保する必要があった。
【０００７】
本発明は、テレビ放送信号を処理して端末側に伝送する伝送機器に電源供給を行う主電源装置の補助電源として、太陽光発電パネルを利用する場合に、太陽光発電パネルの設置場所を速やかに確保して、太陽光発電パネルを簡単に設置できるようにすることを目的とする。
【課題を解決するための手段】
【０００８】
かかる目的を達成するためになされた請求項１に記載の発明は、
ケースに固定された設置用金具を介して屋外に設置され、伝送線を介して端末側の主電源装置から電源供給を受けて動作し、テレビ放送信号を処理して、前記端末側の伝送線に送出する伝送機器に設けられ、太陽光発電パネルによる発電電力を、前記主電源装置からの供給電力に対する補助電源として、前記伝送機器に供給する伝送機器の電源装置であって、
前記伝送機器のケースを、前記設置金具を避けて上方から収納可能に形成されたケースカバーと、
当該ケースカバーを介して前記伝送機器のケース上部に設置され、太陽光を受けて発電する太陽光発電パネルと、
前記端末側の伝送線を接続するための第１端子、及び、前記伝送機器に設けられた端末側伝送線接続用端子に伝送線を介して接続するための第２端子を備え、これら各端子間で伝送信号を通過させると共に、前記端末側の伝送線を介して供給される電源電圧と前記太陽光発電パネルを介して供給される電源電圧とを合成して前記第２端子から出力させる電源供給部と、
を備え、前記電源供給部を前記ケースカバー内に収納したことを特徴とする。
【０００９】
また、請求項２に記載の発明は、請求項１に記載の伝送機器の電源装置において、前記電源供給部に、前記第２端子から出力する電源電圧を安定化させる電源回路を設けたことを特徴とする。
【発明の効果】
【００１０】
本発明の電源装置には、伝送機器のケースを、設置金具を避けて上方から収納可能に形成されたケースカバーを備え、太陽光発電パネルを、このケースカバーを介して伝送機器のケース上部に設置するようにされている。
【００１１】
このため、太陽光発電パネルの設置場所を探すことなく、伝送機器のケース上に簡単に設置することができる。よって、既に設置されている伝送機器に対しても、太陽光発電パネルを設置して、補助電源として利用することができる。
【００１２】
また、ケースカバーには、端末側の伝送線を接続するための第１端子、及び、伝送機器に設けられた端末側伝送線接続用端子に伝送線を介して接続するための第２端子を備えた電源供給部が収納されている。
【００１３】
そして、この電源供給部は、第１端子と第２端子との間で伝送信号を通過させると共に、端末側の伝送線を介して供給される電源電圧と太陽光発電パネルを介して供給される電源電圧とを合成して第２端子から出力させるように構成されている。
【００１４】
このため、本発明の電源装置によれば、太陽光発電パネルからの電源電圧を入力するための端子を備えていない伝送機器に対しても、太陽光発電パネルを補助電源として設けることができるようになり、太陽光発電パネルを利用した省エネ化を促進することができる。
【００１５】
また、請求項２に記載の電源装置によれば、電源供給部に、第２端子から伝送機器に供給する電源電圧を安定化させる電源回路が設けられているので、伝送機器の動作を安定化させ、例えば、電源の瞬断等で端末側に伝送されるテレビ放送信号が劣化するのを防止できる。
【図面の簡単な説明】
【００１６】
【図１】実施形態の電源装置全体の構成を表す説明図である。
【図２】電源装置のケースカバーに収納された電源供給部の構成を表す回路図である。
【発明を実施するための形態】
【００１７】
以下に本発明の実施形態を図面と共に説明する。
図１に示すように、本実施形態の電源装置２は、受信アンテナ等と共に支柱４に取り付けられた受信信号の増幅装置（以下、ブースタという）６に装着して使用されるものであり、ブースタ６のケース８の外形形状に対応して形成されたケースカバー１０を備える。
【００１８】
このケースカバー１０は、下方が開放された箱形であり、ブースタ６をケース８の裏面に固定された取付金具８ａを介して支柱４に取り付けた状態で、上方からケース８を覆い、ブースタ６を収納できるように、取付金具８ａが設けられたケース８の裏面側は、大きく切り欠かれている。
【００１９】
そして、ケースカバー１０の上方には、太陽光を効率よく受けるために所定の傾斜をつけて、太陽光発電パネル１２が設けられており、ケースカバー１０の内部には、電源供給部２０が収納されている。
【００２０】
太陽光発電パネル１２は、太陽光の受光面積を大きくするために、ブースタ６の前面側に大きく張り出し、その先端が下方となるよう傾斜されている。そして、ケースカバー１０には、太陽光発電パネル１２をこのように設置するための支持部１４が、合成樹脂にて一体形成されており、太陽光発電パネル１２は、この支持部１４に受光面を上方に向けて収納されている。
【００２１】
次に、図２に示すように、電源供給部２０には、端末側の伝送線（同軸ケーブル）を接続するための出力端子（第１端子）２２と、この伝送線（同軸ケーブル）を接続するためにブースタ６に設けられた端子（つまり、受信信号の出力端子）と接続するための入力端子（第２端子）２４とが備えられている。
【００２２】
なお、この２つの端子２２、２４は、ブースタ６に設けられる端子と同様、Ｆ型接栓にて構成されており、ケースカバー１０に一体形成された端子ボックス１６内に組み付けられている。
【００２３】
また、電源供給部２０には、ブースタ６から入力端子２４に入力された受信信号を出力端子２２側に通過させ、直流信号成分の通過を遮断するコンデンサ２６と、端末側の主電源装置（図示せず）から伝送線を介して伝送されてきた電源電圧（直流電圧）を出力端子２２から取り込む電源分離フィルタ２８と、が設けられている。
【００２４】
また、電源供給部２０には、電源分離フィルタ２８で分離された主電源装置からの電源電圧と、太陽光発電パネル１２で生成された直流電圧とを合成するために、各電圧の入力側にアノードが接続され、カソードが互いに接続された、逆流防止用のダイオード３０、３２が設けられている。そして、このダイオード３０、３２の電圧出力側（つまりカソード）は、電源重畳回路３４を介して、入力端子２４に接続されている。
【００２５】
このため、出力端子２２に端末側の伝送線を接続し、入力端子２４にブースタ６の端末側接続端子（受信信号の出力端子）を接続すれば、電源供給部２０からブースタ６には、端末側の主電源装置から伝送されてきた電源電圧（直流電圧）と、太陽光発電パネル１２で生成された直流電圧とが合成されて出力され、ブースタ６で増幅された受信信号は端末側の伝送線へと出力されることになる。
【００２６】
なお、電源分離フィルタ２８は、出力端子２２とダイオード３０のアノードとの間に設けられたチョークコイル２８ａと、チョークコイル２８ａとダイオード３０との接続点に設けられ、一端が接地されたコンデンサ２８ｂとからなる周知のものである。
【００２７】
また、電源重畳回路３４も、電源分離フィルタ２８と同様、チョークコイル３４ａとコンデンサ３４ｂとからなる周知のものであり、電源分離フィルタ２８と異なる点は、一端が接地されたコンデンサの他端が、各ダイオード３０、３２の出力側（カソード）に接続されている点だけである。
【００２８】
上記のように本実施形態の電源装置２には、ブースタ６のケース８を上方から覆い、内部にブースタ６を収納するケースカバー１０が備えられ、ケースカバー１０の上部に、太陽光発電パネル１２が固定されている。
【００２９】
このため、本実施形態の電源装置２によれば、太陽光発電パネルの設置場所を探すことなく、ブースタ６のケース８上に簡単に設置することができる。よって、支柱や電柱等に既に設置されているブースタ６に対しても、太陽光発電パネル１２を設置して、補助電源として利用することができる。
【００３０】
また、ケースカバー１０には、端末側の伝送線を接続するための出力端子（第１端子）２２、及び、ブースタ６の受信信号出力端子に接続するための入力端子（第２端子）２４が設けられ、ケースカバー１０内には、これら各端子２２、２４間で受信信号を通過させると共に、端末側から供給される電源電圧（直流電圧）と太陽光発電パネル１２で生成された直流電圧とを合成して、入力端子２４からブースタ６に出力させる電源供給部２０が収納されている。
【００３１】
このため、本実施形態の電源装置２によれば、ブースタ６に太陽光発電パネル１２からの電源電圧を入力するための端子が設けられていなくても、太陽光発電パネル１２を補助電源として設けることができるようになり、太陽光発電パネル１２を利用した省エネ化を促進することができる。
【００３２】
なお、本実施形態のように、端末側から供給された電源電圧と太陽光発電パネル１２で生成された電源電圧とを２つのダイオード３０、３２で合成して、ブースタ６に供給する場合、太陽光発電パネル１２からの出力電圧が端末側から供給された電源電圧よりも低いと、ブースタ６は端末側からの供給電力によって動作し、主電源装置の消費電力を抑制できないことから、太陽光発電パネル１２には、出力電圧が、端末側からの電源電圧よりも高いものを使用する必要はある。
【００３３】
以上、本発明の一実施形態について説明したが、本発明は上記実施形態に限定されるものではなく、本発明の要旨を逸脱しない範囲内にて種々の態様をとることができる。
例えば、上記実施形態では、電源供給部２０は、単に端末側から供給された電源電圧と太陽光発電パネル１２で生成された電源電圧とを２つのダイオード３０、３２で合成して、ブースタ６に出力するものとして説明したが、その合成した電源電圧からブースタ６の駆動に適した直流定電圧を生成する電源回路を組み込むようにしてもよい。
【００３４】
そして、このようにすれば、ブースタ６をより安定して動作させることができ、例えば、電源の瞬断等で端末側に伝送されるテレビ放送信号が劣化するのを防止できる。
また、上記実施形態では、ケースカバー１０は、単にブースタ６のケース８に被すものであると説明したが、ケースカバー１０には、ブースタ６のケース８にしっかりと固定できるようにするために、係合用の突起や固定用の金具を適宜設けることはいうまでもない。
【００３５】
また、上記実施形態では、ケースカバー１０はブースタ６の外形形状に対応して形成されるものとして説明したが、電源装置２の汎用性を高めるために、ケースカバー１０を、市販されている各種ブースタやブースタ以外の各種伝送機器にも被せることができるように大きめに形成し、対象となる伝送機器には補助具を使って固定するようにしてもよい。
【符号の説明】
【００３６】
２…電源装置、４…支柱、６…ブースタ、８…ケース、８ａ…取付金具、１０…ケースカバー、１２…太陽光発電パネル、１４…支持部、２０…電源供給部、２２…出力端子、２４…入力端子、２６…コンデンサ、２８…電源分離フィルタ、３０，３２…ダイオード、３４…電源重畳回路。
【図１】
2010239831.tif 000003
【図２】
2010239831.tif 000004